(57)【要約】　　　（修正有）【課題】音声識別技術を利用する漢字入力システムおよび方法に関するもので、ユーザが音声入力方法によって文候補および関連された分類からの選択処理を支援する漢字入力システムを提供する。【解決手段】分類および同分類に関連された文を記憶する文データベースを備え、表示された分類チェックリストを音声により選択することにより、さらに分類の下位にある分類チェックリストを表示させ、最後に文候補に対応された番号を音声により選択させ、文番号に対応する文を編集ファイルに出力する。本発明により、ユーザの入力エラーを減少させ、入力速度を向上させる。【選択図】　図１
2004145732.tif 000002
【特許請求の範囲】
【請求項１】
分類および同分類に関連された文を記憶するための文データベースと、
文候補を番号付けするユーザからの音声識別用音声を音声周辺機器を介して受信し、ユーザの音声入力を識別し、音声転送を進行させるための受信及び識別モジュールと、
音声転送結果に基づき分類チェックリストから対応するデータ項目を検索するためのデータ検索モジュールと、
分類チェックリストおよび前記分類に関連された文を表示し、それらを編集可能なファイルに出力するための出力表示モジュールとからなる、文候補と、ユーザのエラー減少及び入力速度増加を可能とさせる関連カテゴリとからの選択においてユーザを支援するための音声の識別技術を利用する漢字入力システム。
【請求項２】
前記文データベースは、分類と各分類に関連された文の各々の間に対応する指標を提供する、関連されたデータベースである請求項１に記載のシステム。
【請求項３】
前記受信及び識別モジュールは速やかにエラーメッセージを提供する機能をさらに有した請求項１に記載のシステム。
【請求項４】
前記音声転送は、アナログ信号をコンピュータ・プログラムによって処理可能なデジタル信号へ変換する請求項１に記載のシステム。
【請求項５】
前記分類チェックリストは、音声入力領域と項目表示領域とをさらに有する請求項１に記載のシステム。
文候補と、ユーザのエラー減少及び入力速度増加を可能とさせる関連カテゴリとからのキー選択においてユーザを支援するための音声の識別技術を利用する漢字入力方法。
【請求項６】
編集可能なファイル中で入力方法第１インタフェースを開始する工程と、
分類チェックリストを表示する工程と、
音声入力された文の番号付けにより文分類の選択を行なう工程と、
選択された分類に関する文を表示する工程と、
前記音声入力に基づいて、前記文候補の番号と、前記選択された分類に関する対応する文を選択する工程と、
前記選択された分類に関して選択された前記文を編集可能なファイルへ出力する工程とからなる、
【請求項７】
前記分類チェックリストは、音声入力領域と項目表示領域とをさらに有する請求項６に記載の方法。
【請求項８】
前記音声入力された文の番号付けにより文分類の選択を行ない前記文の番号を選択する工程と、前記音声入力に基づいて、前記文候補の番号と、前記選択された分類に関する対応する文を選択する工程は、
音声入力周辺機器によって音声識別用音声を受信する工程と、
音声識別手続きを行なう工程と、
アナログ音声信号をコンピュータ・プログラムによって処理可能なデジタル信号へ変換する工程と、
対応するデータ項目を表示する工程とをさらに有する請求項６に記載の方法。
【請求項９】
前記受信及び識別モジュールは速やかにエラーメッセージを与える機能をさらに有する請求項８に記載の方法。
【発明の詳細な説明】
【０００１】
【発明の属する技術分野】
本発明は、漢字入力システムおよびその方法に関する。より詳細には、文候補および関連する分類の選択を処理する際にユーザの入力速度を増加させることを支援すべく音声識別技術を利用する漢字入力システムおよびその方法に関する。
【０００２】
【従来の技術】
漢字入力方法の最大の問題は遅い入力速度および不便さである。遅い入力速度の問題を解決するための多くの漢字入力方法は一般に、ユーザの入力速度を増加させるとの目的を達成するために単語を分解する機能を備えて開発されている。しかし、ユーザが入力速度を実際に増加させることが可能である前には、ユーザは多くの時間を自己学習および分解漢字入力方法の熟練に費やさなければならない。そのような分解された漢字入力方法を学習することは困難かつ不便である。また、人々はそれの使用していても冗長感がある。
【０００３】
いくつかの漢字入力方法は、内蔵の文を備えたデータベースの確立によって、入力速度が遅い問題および不便さの両方を解決することを試みる。ユーザは、反復の多い入力をすることなく、内蔵のデータベースから直接文を選択することにより、この種の解決策によって迅速な入力および時間節約の目的を達成可能である。しかし、そのような内蔵データベース中に記憶された文のほとんどは、ユーザがユーザの予備入力に続けて選択すべく可能性のある文が１対１でリストされる。そのようなデータベース中の文を選択する方法は、キーボードかマウスによって手動でデータを入力することをユーザに要求する。それは文データベースを頻繁に使用するユーザのための障害になる。さらに、この種の手動の漢字入力方法にユーザは多くの時間を取られユーザによる、入力不注意あるいは不注意に帰着する間違いをして全体の入力速度に影響を及ぼし得る。
【０００４】
【発明が解決しようとする課題】
現在の音声識別技術は相当に開発されている。いくつかの技術的な障害がまだあるが、それは今までどおり固定の基本的要素を識別するために適用可能である。従って、音声識別技術の利点を備えた漢字入力方法を開発する方法、およびユーザの入力速度を上げるべき手動入力プロセスおよび入力エラーを減少させる方法は、様々な入力方法を使用する人々に関心がもたれている。
【０００５】
【課題を解決するための手段】
上記問題点を解決するために、請求項１に記載の発明は、分類および同分類に関連された文を記憶するための文データベースと、文候補を番号付けするユーザからの音声識別用音声を音声周辺機器を介して受信し、ユーザの音声入力を識別し、音声転送を進行させるための受信及び識別モジュールと、音声転送結果に基づき分類チェックリストから対応するデータ項目を検索するためのデータ検索モジュールと、分類チェックリストおよび前記分類に関連された文を表示し、それらを編集可能なファイルに出力するための出力表示モジュールとからなる、文候補と、ユーザのエラー減少及び入力速度増加を可能とさせる関連カテゴリとからの選択においてユーザを支援するための音声の識別技術を利用することを要旨とする。
【０００６】
請求項２に記載の発明は、請求項１に記載のシステムにおいて、前記文データベースは、分類と各分類に関連された文の各々の間に対応する指標を提供する、関連されたデータベースであることを要旨とする。
【０００７】
請求項３に記載の発明は、請求項１に記載のシステムにおいて、前記受信及び識別モジュールは速やかにエラーメッセージを提供する機能をさらに有したことを要旨とする。
【０００８】
請求項４に記載の発明は、請求項１に記載のシステムにおいて、前記音声転送は、アナログ信号をコンピュータ・プログラムによって処理可能なデジタル信号へ変換することを要旨とする。
【０００９】
請求項５に記載の発明は、請求項１に記載のシステムにおいて、前記分類チェックリストは、音声入力領域と項目表示領域とをさらに有することを要旨とする。
【００１０】
請求項６に記載の発明は、編集可能なファイル中で入力方法第１インタフェースを開始する工程と、分類チェックリストを表示する工程と、音声入力された文の番号付けにより文分類の選択を行なう工程と、選択された分類に関する文を表示する工程と、前記音声入力に基づいて、前記文候補の番号と、前記選択された分類に関する対応する文を選択する工程と、前記選択された分類に関して選択された前記文を編集可能なファイルへ出力する工程とからなることを要旨とする。
【００１１】
請求項７に記載の発明は、請求項６に記載の方法において、前記分類チェックリストは、音声入力領域と項目表示領域とをさらに有することを要旨とする。
請求項８に記載の発明は、請求項６に記載の方法において、前記音声入力された文の番号付けにより文分類の選択を行ない前記文の番号を選択する工程と、前記音声入力に基づいて、前記文候補の番号と、前記選択された分類に関する対応する文を選択する工程は、音声入力周辺機器によって音声識別用音声を受信する工程と、音声識別手続きを行なう工程と、アナログ音声信号をコンピュータ・プログラムによって処理可能なデジタル信号へ変換する工程と、対応するデータ項目を表示する工程とをさらに有することを要旨とする。
【００１２】
請求項９に記載の発明は、請求項８に記載の方法において、前記受信及び識別モジュールは速やかにエラーメッセージを与える機能をさらに有することを要旨とする。
【００１３】
上記を考慮して本発明は、音声識別による漢字入力システムおよび方法の支援を提案することによって上記問題を解決することを目指す。本発明の目的は、手動入力の頻度を減少し、入力エラーを回避し、音声識別技術の適用によりユーザの入力速度を増強すべく音声識別を使用する漢字入力方法を提供することにある。
【００１４】
上記目的を達成すべく、本発明は文データベースと、受信及び識別モジュールと、データ検索モジュールと、出力表示モジュールとを有した音声識別支援漢字入力システムおよび方法を提案する。
【００１５】
さらに、開示された音声識別支援漢字入力方法は次の工程からなる。即ち、編集可能なファイルにおいて入力方法の第１インタフェースを開始する工程と、分類チェックリストを表示する工程と、同分類から項目を選択するための文候補に関連された数の選択を入力する工程と、選択された分類からの文を表示する工程と、音声入力によって文候補に関する数を選択する工程と、対応する分類された文項目を検索する工程と、編集可能なファイルの中への分類された文項目を出力する工程とである。
【００１６】
本発明の詳細な内容および技術は、図面および詳細な説明に記載される。
【００１７】
【発明の実施の形態】
本発明は、音声識別に支援された漢字入力システム及び方法を提案する。図１に示されるような漢字入力システムおよび方法のシステム構造が以下のように記載される。
【００１８】
（１）　文データベース２１０は、各分類に関する、分類内容および文を記憶するために主として使用される。文データベース２１０は、データ探索の精度及び速度を増強することを支援すべく各分類と同分類に関連された文との間に対応する指標を確立する、関連付けられたデータベースである。
【００１９】
（２）　データ検索モジュール２２０は、受信及び識別モジュール２３０から転送された音声結果に基づき、文データベース２１０から対応するデータ内容を検索する。データ検索モジュール２２０は、そのときに表示された分類チェックリスト状態を記録し、データベース中に既存する対応データと転送された音声結果と比較し、文データベース２１０からそれらを検索する。
【００２０】
（３）　受信及び識別モジュール２３０は、音声入力の周辺機器によってユーザによって入力された音声データの識別と転送のタスクとを実行する。識別手順は、ユーザの音声入力に相当する文候補の既存の番号を見つけ、それら番号が利用可能な文候補の識別可能な範囲内にあるか否かを確認することを目的とする。ユーザの音声入力データが文候補の番号付けする範囲を越えているか、ユーザの不明瞭な音声のために識別できない場合には、識別モジュール２３０は速やかにエラーメッセージを与えて、ユーザの音声データを反復することをユーザに要求する。音声変換は、モジュールがユーザの音声入力が識別可能な文候補番号の合理的な範囲内にあることを確認した後、アナログ信号をコンピュータ・プログラムによって実行可能なデジタル信号へ変換する。
【００２１】
（４）　出力表示モジュール２４０は分類チェックリスト（音声入力領域および項目表示領域を含む）を表示する。さらに、ユーザが分類に関連された文を選択した後、出力表示モジュール２４０は自動的にユーザが使用している編集可能なファイルへ対応する文を出力する。その結果、ユーザによるデータ入力の時間が縮小される。
【００２２】
音声識別支援による漢字入力システム及び方法の音声入力フローチャートを示す図２は、以下のように主な操作上の流れを説明する。
まずユーザは、任意の頻繁に用いられているソフトウェア・アプリケーション（ＷＯＲＤ、ノートパッドなど）でありうる編集可能なファイルにおいて入力方法の第１インタフェース１００を開始する（工程３００）。その後、入力システム２００は、分類チェックリストを備えた表示画面を示す（工程３１０）。その表示はユーザが音声入力を処理するための、音声入力領域および項目表示領域からなる。ユーザは、ユーザの分類チェックリストに表示された文候補分類番号を選択すべく、音声の利用により分類の選択処理が可能である（工程３２０）。その後、システムは選択された分類項目の下に副次的分類があるか否かを確認する（工程３３０）。ＹＥＳであれば、フローは工程３１０に戻り、続いてより詳細な副次的分類を表示する。そうでなければ、フローは分類に関連された文を表示する（工程３４０）。次にユーザは、文候補に対応された番号の入力によって、分類に関連された必要な文を選択可能である（工程３５０）。最後に、システムは自動的に編集可能なユーザのファイルへ選択された文を出力する（工程３６０）。
【００２３】
図３は、音声識別に支援された漢字入力システムおよび方法のデータ検索のフローチャートである。
まず入力システム２００は音声の周辺機器を介してユーザから音声の内容を受信し（工程４００）、そして次に音声識別手順（工程４１０）を行なう。音声識別手順は、ユーザの音声入力データが文候補の識別可能な範囲内にあるか否かを見つけ出す（工程４２０）ことを目的とする。ユーザの音声データが文候補の番号付けする範囲を越えているか、或いは識別不能の場合には、エラーメッセージが速やかに与えられる（工程４７０）。その後、フローは工程４００に戻って、システムは、ユーザに音声入力を反復するように依頼する。そうでなければ、システムはアナログ信号をデジタル信号へ変換する音声変換工程（工程４３０）へと続く。システムは、それらデジタル信号に対応した分類チェックリストを文データベース２１０から検索し（工程４４０）、出力表示モジュール２４０によってデータを表示する（工程４５０）。一方、本発明の入力システム２００は、ユーザが表示された内容を選択し表示された内容が分類の最後のレベルに達しているときにその内容を表示することを希望するか否かを確認する（工程４６０）。ＮＯの場合には、さらに多くの副次的分類があるため、フローは工程４００に戻りユーザの音声入力を受信し続ける。工程４６０がＹＥＳであれば、フローは完了する。
【００２４】
本発明の好適な実施態様が、図４（ａ）〜（ｃ）にさらに示される。
ユーザは、図４（ａ）に示されるような表示された分類チェックリストを見る。この分類ではユーザが音声入力処理するために項目表示領域に示された基礎的な分類（例えば生活、自然、人生など）が文データベース２１０にある。例えば、ユーザが「生活」の分類の下の関連する文を入力する場合には、ユーザは音声入力によって「生活」の分類の下で文候補番号（つまり「１」）を選択する。図４（ｂ）に示されるように、「生活」分類の下の副次的分類（「飲食」、「工作」、「家庭」、「娯楽」、「愛情」など）はすべて、現在の分類状態が音声入力領域に示される、項目表示領域に示される。ユーザが「工作」分類の下の関連された文を入力したい場合、ユーザは音声入力を通じて「工作」分類の下の文候補番号（つまり「２」）を選択する。同様に、システムは「工作」分類の下位の分類をすべて示す。「工作」分類の下に副次的分類がそれ以上ない場合、図４（ｃ）に示されたようにシステムは分類の下の分類された文をすべて表示する。その後、ユーザは音声入力による文候補の番号に対応する必要な文番号を選択することが可能である。そしてシステムは自動的に対応する文を検索し、開かれた編集可能なファイルへそれを出力する。
【００２５】
本発明が記載されてきたが、同様な内容が多くの方法で変形可能であることは明白である。そのような変形例は、本発明の精神および範囲からの逸脱とはみなされず、当業者に明白であるこれら変形例の全ては本発明の範囲内に含まれるものである。
【００２６】
【発明の効果】
本発明は、ユーザの入力エラーを減少し、入力速度を向上させる。
【図面の簡単な説明】
【図１】本発明の音声識別支援漢字入力システムおよび方法の構成を示す概念図。
【図２】本発明による音声入力を示すフローチャート。
【図３】本発明のデータ検索を示すフローチャート。
【図４】（ａ）本発明の漢字入力方法、および本発明のシステムおよび方法の音声入力ディスプレイを示す概念図。（ｂ）本発明の漢字入力方法、および本発明のシステムおよび方法の音声入力ディスプレイを示す概念図。（ｃ）本発明の漢字入力方法、および本発明のシステムおよび方法の音声入力ディスプレイを示す概念図。
【符号の説明】１００…第１インタフェース、２１０…文データベース、２２０…データ検索モジュール、２３０…識別モジュール、２４０…出力表示モジュール。
【図１】
2004145732.tif 000003
【図２】
2004145732.tif 000004
【図３】
2004145732.tif 000005
【図４】
2004145732.tif 000006